(57)【要約】【課題】内部に水が浸入することを確実に防止する優れた防水性を備える携帯端末装置を提供する。【解決手段】機器本体１と、機器本体１に取り付けられた表示装置（可動部）２とを備える携帯端末装置Ａであって、機器本体１の本体ケース４と表示装置２の表示ケース５との間に形成されて表面４ａ、５ｃに開口する隙間を通じて機器本体１及び表示装置２の内部に水が浸入することを防止するための防水構造６を備える。また、この防水構造６は、本体ケース４及び／又は表示ケース５の表面４ａ、５ｃに、隙間に沿って形成されるとともに、隙間に向かうに従い漸次隙間の内部に傾斜するテーパー状に形成された導水溝８と、隙間が表面４ａ、５ｃから外部に連通するように形成されてなる貫通路と、機器本体１及び表示装置２の内部に配設されて、隙間と機器本体１及び／又は表示装置２の内部との間を遮断する遮断部材９、１０とを備えて構成する。【選択図】図２
2012028842.tif 000002
【特許請求の範囲】
【請求項１】
電子部品を内蔵した機器本体と、該機器本体に取り付けられた可動部とを備える携帯端末装置であって、
前記機器本体の本体ケースと前記可動部との間に形成されて表面に開口する隙間を通じて前記機器本体及び／又は前記可動部の内部に水が浸入することを防止するための防水構造を備えており、
前記防水構造は、前記本体ケース及び／又は前記可動部の表面に、前記隙間に沿って形成されるとともに、前記隙間に向かうに従い漸次前記隙間の内部に傾斜するテーパー状に形成された導水溝と、前記隙間が表面から外部に連通するように形成されてなる貫通路と、前記機器本体及び前記可動部の内部に配設されて、前記隙間と前記機器本体及び／又は前記可動部の内部との間を遮断する遮断部材とを備えて構成されていることを特徴とする携帯端末装置。
【請求項２】
請求項１記載の携帯端末装置において、
前記可動部が前記機器本体に電気的に接続されて情報を表示する表示装置とされ、該表示装置と前記機器本体をヒンジ構造によって折り畳み可能に接続して構成されており、
前記導水溝が前記ヒンジ構造のヒンジ筒に沿って前記機器本体の本体ケース及び／又は前記表示装置の表示ケースの表面に形成され、前記貫通路が前記本体ケース及び前記表示ケースの表面側から裏面側に貫通して形成されていることを特徴とする携帯端末装置。
【発明の詳細な説明】
【技術分野】
【０００１】
本発明は、例えば携帯電話、ＰＨＳ、ＰＤＡ（携帯情報端末）、ノート型パソコン等の人が携帯して自由に使用することができる携帯端末装置に関し、特に防水性に優れた携帯端末装置に関する。
【背景技術】
【０００２】
従来、携帯電話、ＰＨＳ、ＰＤＡ（携帯情報端末）、ノート型パソコン等の携帯端末装置は、手軽に携帯して自由に使用できるようにコンパクトに形成されている。また、この種の携帯端末装置には、一般に、機器本体に情報入力のための操作キーが設けられるとともに各種の電子部品が内蔵され、この機器本体にヒンジ構造（ヒンジ部）を介して情報を表示する表示装置を接続して構成したものが多用されている。すなわち、ヒンジ構造によって、機器本体に対し表示装置を折り畳んだり、表示装置を所定の角度で開いて使用できるように折り畳み式で構成されている（例えば、特許文献１、特許文献２参照）。
【先行技術文献】
【特許文献】
【０００３】
【特許文献１】特開２００３−３０８１３４号公報
【特許文献２】特開２００６−２４６４０３号公報
【発明の概要】
【発明が解決しようとする課題】
【０００４】
しかしながら、このような携帯端末装置は、ヒンジ部にフレキシブル基板を設けるなどして機器本体と表示装置を電気的に接続するようにしており、機器本体の内部や表示装置の内部がヒンジ部に部分的に形成した開口部によって開口した構造となっている。このため、手軽に携帯して自由に使用できるが、雨水や水滴などの水がかかると、ヒンジ部のヒンジ筒と機器本体の本体ケースや表示装置の表示ケースの隙間を通じて機器本体や表示装置の内部に水が浸入し、この浸入した水によって内部回路のショートなどが発生して携帯端末装置が使用不能になるおそれがあった。
【０００５】
本発明は、上記事情に鑑み、内部に水が浸入することを確実に防止する優れた防水性を備える携帯端末装置を提供することを目的とする。
【課題を解決するための手段】
【０００６】
上記の目的を達するために、この発明は以下の手段を提供している。
【０００７】
本発明の携帯端末装置は、電子部品を内蔵した機器本体と、該機器本体に取り付けられた可動部とを備える携帯端末装置であって、前記機器本体の本体ケースと前記可動部との間に形成されて表面に開口する隙間を通じて前記機器本体及び／又は前記可動部の内部に水が浸入することを防止するための防水構造を備えており、前記防水構造は、前記本体ケース及び／又は前記可動部の表面に、前記隙間に沿って形成されるとともに、前記隙間に向かうに従い漸次前記隙間の内部に傾斜するテーパー状に形成された導水溝と、前記隙間が表面から外部に連通するように形成されてなる貫通路と、前記機器本体及び前記可動部の内部に配設されて、前記隙間と前記機器本体及び／又は前記可動部の内部との間を遮断する遮断部材とを備えて構成されていることを特徴とする。
【０００８】
この発明においては、機器本体や可動部の表面（可動部付近）に付着した雨水や水滴などの水を導水溝から前記隙間によって形成されてなる貫通路に導き、この水を貫通路を通じて外部に排出させることができる。また、このとき、貫通路（前記隙間）と機器本体及び／又は可動部の内部が遮断部材によって遮断されているため、貫通路を流通する水が機器本体や可動部の内部に浸入することを確実に防止できる。
【０００９】
また、本発明の携帯端末装置においては、前記可動部が前記機器本体に電気的に接続されて情報を表示する表示装置とされ、該表示装置と前記機器本体をヒンジ構造によって折り畳み可能に接続して構成されており、前記導水溝が前記ヒンジ構造のヒンジ筒に沿って前記機器本体の本体ケース及び／又は前記表示装置の表示ケースの表面に形成され、前記貫通路が前記本体ケース及び前記表示ケースの表面側から裏面側に貫通して形成されていることが望ましい。
【００１０】
この発明においては、表示装置と機器本体をヒンジ構造によって折り畳み可能に形成した例えば携帯電話機、ＰＨＳ、ノート型パソコンなどであり、この種の携帯端末装置に対して、導水溝をヒンジ筒に沿って本体ケース及び／又は表示ケースの表面にし、貫通路を本体ケース及び表示ケースの表面側から裏面側に貫通して形成することで、機器本体や表示装置のヒンジ構造付近の表面に付着した雨水や水滴などの水を導水溝によって貫通路に導いて外部に排出させることができる。そして、貫通路と機器本体及び／又は表示装置の内部が遮断部材によって遮断されていることで、貫通路を流通する水が機器本体や表示装置の内部に浸入することを確実に防止できる。
【発明の効果】
【００１１】
本発明の携帯端末装置によれば、雨水や水滴などの水がかかっても、機器本体の本体ケースと可動部の間に形成された隙間を通じて機器本体や可動部の内部に水が浸入することがなく、内部回路のショートなどが発生して携帯端末装置が使用不能になることを防止できる。
【図面の簡単な説明】
【００１２】
【図１】本発明の一実施形態に係る携帯端末装置を示す平面図である。
【図２】本発明の一実施形態に係る携帯端末装置の防水構造及びヒンジ構造を示す平面図である。
【図３】本発明の一実施形態に係る携帯端末装置の防水構造及びヒンジ構造を示す図である。
【図４】本発明の一実施形態に係る携帯端末装置の防水構造（導水溝、貫通路）を示す断面図である。
【発明を実施するための形態】
【００１３】
以下、図１から図４を参照し、本発明の一実施形態に係る携帯端末装置について説明する。ここで、本発明の携帯端末装置は、例えば携帯電話、ＰＨＳ、ＰＤＡ（携帯情報端末）、ノート型パソコン等の人が携帯して自由に使用することができる携帯端末装置であり、本実施形態では、この携帯端末装置がノート型パソコンであるものとして説明を行う。
【００１４】
本実施形態の携帯端末装置Ａは、図１に示すように、機器本体１と表示装置（可動部）２とをヒンジ構造（ヒンジ部）３によって折り畳み可能（回動可能）に接続して構成されている。
【００１５】
機器本体１は、本体ケース４の表面（上面）４ａに情報入力のための操作キーやランプ部などが設けられるとともに、本体ケース４の内部にハードディスクドライブなどの各種の電子部品が内蔵されている。
【００１６】
表示装置２は、表示ケース５の内部に液晶表示素子やＥＬ素子などの平面状の表示素子５ｂを設けて形成されるとともに、この表示素子５ｂを外部に露出させる表示用開口部５ａを表示ケース５に形成して構成されている。
【００１７】
また、これら機器本体１と表示装置２を折り畳み可能に接続するヒンジ構造３は、図１から図３に示すように、本体ケース４と表示ケース５の一方に一体形成されたヒンジ筒３ａと、本体ケース４と表示ケース５の他方に設けられてヒンジ筒３ａ内に配設されたヒンジ軸３ｂと、ヒンジ軸３ｂに繋がって本体ケース４と表示ケース５のそれぞれの内部に延設された支持部材３ｃとを備えて構成されている。そして、このヒンジ構造３のヒンジ軸３ｂがヒンジ筒３ａ内で軸線回りに回転することで、表示装置２が機器本体１に対して例えば１８０度回動するように構成されている。すなわち、ヒンジ構造３によって機器本体１と表示装置２が折り畳み可能に接続され、支持部材３ｃによって、表示装置２が機器本体１に対して所望の角度で保持されるように構成されている。また、ヒンジ構造３の内部の中空部分にフレキシブル基板などが収容され、このフレキシブル基板（不図示）を介して表示装置２と機器本体１が電気的に接続されている。
【００１８】
さらに、本実施形態において、携帯端末装置Ａには、図２から図４に示すように、本体ケース４と表示ケース５の一方に一体形成されたヒンジ筒３ａと本体ケース４（又は表示ケース５）との間に形成されて携帯端末装置Ａの表面４ａ、５ｃに開口する隙間Ｈから本体ケース４や表示ケース５の内部に水が浸入することを防止するための防水構造６が具備されている。
【００１９】
そして、本実施形態において、この防水構造６は、ヒンジ筒３ａと本体ケース４（又は表示ケース５）との間の隙間Ｈが表面４ａ、５ｃから外部に連通するように形成されてなる貫通路７と、導水溝８と、パッキン（遮断部材）９、１０とから構成されている。また、本実施形態では、貫通路７が機器本体１や表示装置２の表面４ａ、５ｃ側から裏面４ｂ、５ｄ側に貫通するように形成されている。
【００２０】
導水溝８は、ヒンジ筒３ａと本体ケース４（又は表示ケース５）の間の隙間Ｈを形成する本体ケース４の端部側にヒンジ筒３ａに沿って形成されている。また、この導水溝８は、図４に示すように、前記隙間Ｈを形成する本体ケース４の端部よりも内側の部分から本体ケース４の端部（前記隙間Ｈ）に向かうに従い漸次下方に（前記隙間Ｈの内部に）傾斜するようにしてテーパー状に形成されている。
【００２１】
一方、パッキン９、１０は、図２及び図３に示すように、本体ケース４と表示ケース５の前記貫通路７を形成する各側壁側の内部に配設されている。より具体的に、ヒンジ構造３の内部の中空部に収納されたフレキシブル基板を介して表示装置２と機器本体１を電気的に接続するために、本体ケース４と表示ケース５にはそれぞれ、ヒンジ構造３で接続される部分の側壁にフレキシブル基板を挿通するための開口部が形成されている。そして、前記隙間Ｈによって形成された前記貫通路７と、本体ケース４や表示ケース５の電子部品を内蔵する内部とが開口部を通じて連通されている。このため、本実施形態の防水構造６では、本体ケース４及び表示ケース５に形成された前記開口部を閉塞するように、本体ケース４と表示ケース５の内部にそれぞれパッキン９、１０が配設されている。
【００２２】
そして、上記構成からなる防水構造６を備えた本実施形態の携帯端末装置Ａにおいては、雨水や水滴などの水が機器本体１や表示装置２の表面４ａ、５ｃにかかった際に、ヒンジ筒３ａに沿って導水溝８が形成されているため、さらにこの導水溝８がテーパー状に形成されているため、ヒンジ筒３ａ付近に付着した水が、導水溝８を伝わって前記隙間Ｈからヒンジ筒３ａの内部に浸入することになる。
【００２３】
そして、このようにヒンジ筒３ａの内部に浸入した水は、貫通路７を流下してゆくことになるが、本体ケース４及び表示ケース５に形成された前記開口部がパッキン９、１０によって閉塞されているため、この水は、本体ケース４や表示ケース５の内部に浸入することがなく、貫通路７を流下して機器本体１や表示装置２の表面４ａ、５ｃから裏面４ｂ、５ｄにそのまま流れ落ちて排出されることになる。これにより、携帯端末装置Ａの内部に水が浸入して、内部回路のショートなどが発生し、携帯端末装置Ａが使用不能になるようなことがない。
【００２４】
したがって、本実施形態の携帯端末装置Ａにおいては、機器本体１や表示装置２（可動部付近）の表面４ａ、５ｃに付着した雨水や水滴などの水を導水溝８から前記隙間Ｈによって形成されてなる貫通路７に導き、この水を貫通路７を通じて外部に排出させることができる。また、このとき、貫通路７（前記隙間Ｈ）と機器本体１及び表示装置２の内部が遮断部材９、１０によって遮断されているため、貫通路７を流通する水が機器本体１や表示装置２の内部に浸入することを確実に防止できる。
【００２５】
よって、本実施形態の携帯端末装置Ａによれば、雨水や水滴などの水がかかっても、機器本体１の本体ケース４と表示装置２（可動部）の間に形成された隙間Ｈを通じて携帯端末装置Ａの内部に水が浸入することがなく、内部回路のショートなどが発生して携帯端末装置Ａが使用不能になることを防止できる。
【００２６】
以上、本発明に係る携帯端末装置の一実施形態について説明したが、本発明は上記の実施形態に限定されるものではなく、その趣旨を逸脱しない範囲で適宜変更可能である。例えば、本実施形態では、本発明に係る可動部が機器本体１にヒンジ構造３を介して接続される表示装置２であるものとして説明を行ったが、本発明に係る可動部は、サイドキー、Ｉ／Ｏカバー、ＳＤカバー、キーシート、アンテナなどであってもよく、このような可動部を設けることにより水の浸入が懸念される部分に、本実施形態と同様の防水構造を設けることで、本実施形態と同様の作用効果を得ることが可能である。
【符号の説明】
【００２７】
１      機器本体
２      表示装置（可動部）
３      ヒンジ構造（ヒンジ部）
３ａ    ヒンジ筒
３ｂ    ヒンジ軸
３ｃ    支持部材
４      本体ケース
４ａ    表面
４ｂ    裏面
５      表示ケース
５ａ    表示用開口部
５ｂ    表示素子
５ｃ    表面
５ｄ    裏面
６      防水構造
７      貫通路
８      導水溝
９      パッキン（遮断部材）
１０    パッキン（遮断部材）
Ａ      携帯端末装置
Ｈ      隙間
【図１】
2012028842.tif 000003
【図２】
2012028842.tif 000004
【図３】
2012028842.tif 000005
【図４】
2012028842.tif 000006